(57)【特許請求の範囲】
【請求項１】
光情報記録媒体から光情報を読み取り、あるいは光情報記録媒体に光情報を書き込む、もしくはその両方の機能を有する光ピックアップにおいて、
偏光用λ波長板を円形状とし、その偏光用λ波長板上に形成する反射防止膜を、偏光用λ波長板の複屈折結晶光軸と特定の角度をもって、かつレーザ光が透過しない外周部にその有無境界線が位置するように成膜し、該有無境界線でもって複屈折結晶光軸方向を認識できるようにしたことを特徴とする光ピックアップ。
【発明の詳細な説明】
【０００１】
【発明の属する技術分野】
本発明は、ＤＶＤディスクやＣＤディスク等の光情報記録媒体から光情報を読み取り、あるいは光情報記録媒体に光情報を書き込む、もしくはその両方の機能を有する光ピックアップに係り、特に読み取りもしくは書き込み精度の向上を目的とした偏光用λ波長板の組み込み構造に関する。
【０００２】
【従来の技術】
従来のピックアップでは、レーザダイオードと対物レンズ間に組み込む光学部品（ハーフプリズム等）に直接アクリル製等のλ波長板を接着剤で貼り付ける構造、もしくはλ波長板独自で平坦度精度が維持できるガラス製等のλ波長板を、光学部品間位置でピックアップ筐体に組み込み、接着固定する構造が一般的である。
【０００３】
またλ波長板は、外形が四角形で、外周辺に対し複屈折結晶光軸に４５度等の傾きを持たせ、ピックアップ筐体の底面（ディスク等の光情報記録媒体面）にλ波長板の二辺が平行になるように組み込まれていた。
【０００４】
図７は従来例に係る光ピックアップの一部を断面した側面図、図８はその光ピックアップの正面図、図９はλ波長板を貼り付けたハーフプリズムの側面図、図１０はλ波長板を張り付けたハーフプリズムの正面図である。
【０００５】
図７ならびに図８に示すように光ピックアップ筐体１上には、ＤＶＤ用レーザダイオード２、ハーフミラー３、ハーフプリズム４、全反射ミラー５、コリメータレンズ６、対物レンズ７、検出レンズ８、ＯＥＩＣ９等の光学、電子部品が組み込まれる。
【０００６】
λ波長板１０は図９に示す如く厚さ９０μｍ程度のアクリル製のもので、外形がハーフプリズム４の貼り付け面寸法と略同一の四角形をしており、外周辺に対し複屈折結晶光軸が４５度等の傾きを持たせた構造となっており（図１０参照）、ハーフプリズム４の対物レンズ７側端面に全面接着にて貼り付けられている（図７参照）。
【０００７】
【発明が解決しようとする課題】
前述のようにハーフプリズム等の光学部品にλ波長板を貼り付ける構造には、次の欠点がある。
（１）ハーフプリズム等の光学部品は、レーザ光を透過する機能もしくは反射する機能もしくはその両方の機能を有するもので、外周面の汚れが製品特性に大きく影響するため、汚れを発生させずにλ波長板を貼り付ける必要があり、取り扱いに注意を要する上に不良発生率が高い。
（２）λ波長板をレーザ光が２度（往復）透過するため、透過率特性が低下する。
（３）全面接着構造ではレーザ光透過部にも接着剤層が存在するため、透過率の低下及び収差増大の傾向が高い。
（４）λ波長板をレーザダイオード位置から離れた位置に組み込むため、レーザ光光束径が大径となり、λ波長板の形状も大型となり、高コストとなる。
（５）λ波長板は、円形状では複屈折結晶光軸が確認できないことから外形が四角形であり、かつ外周辺に対し複屈折結晶光軸が４５度等の傾きを持たせた構造であるため、製作サイズの大判λ波長板からの分割切断の加工性及び歩留りが悪く、高コストとなる。
【０００８】
前述のλ波長板独自で平坦度精度が維持できるガラス製等のλ波長板を、光学部品間位置でピックアップ筐体に組み込み接着固定する構造には、次の欠点がある。
（１）ピックアップ筐体の中央部等への取り付け構造であり、レーザ光の光束径が大きいため、λ波長板の形状を大きくする必要があり、平坦精度を維持する必要性からガラス材等の剛性体となり、高コストとなる。
（２）λ波長板をレーザ光が２度（往復）透過するため、透過率特性が低下する。
（３）λ波長板をレーザダイオード位置から離れた位置に組み込むため、レーザ光光束径が大径となり、λ波長板の形状も大型となる。かつ、厚さの厚いガラス製のため、重く、高コストとなる。
（４）λ波長板の外形が四角形で、外周辺に対し複屈折結晶光軸が４５度等の傾きを持たせた構造であるため、製作サイズの大判λ波長板からの分割切断の加工性及び歩留りが悪く、高コストとなる。
【０００９】
本発明の目的は、このような従来技術の欠点を解決し、高性能かつ量産性に優れた安価な光ピックアップを提供することにある。
【００１０】
【課題を解決するための手段】
前記目的を達成するために、本発明は、例えばＤＶＤディスクなどの光情報記録媒体から光情報を読み取り、あるいは光情報記録媒体に光情報を書き込む、もしくはその両方の機能を有する光ピックアップを対象とするものである。
【００１１】
そして偏光用λ波長板を円形状とし、その偏光用λ波長板上に形成する反射防止膜を、偏光用λ波長板の複屈折結晶光軸と特定の角度をもって、かつレーザ光が透過しない外周部にその有無境界線が位置するように成膜し、該有無境界線でもって複屈折結晶光軸方向を認識できるようにしたことを特徴とするものである。
【００１７】
本発明は前述のように、レーザダイオードのレーザ光透過部の外周端面、またはピックアップ筐体のレーザダイオードと対面した位置に設けられた貼り付け面にλ波長板を貼り付ける構造になっている。
【００１８】
そのため従来のハーフプリズム等の光学部品にλ波長板を貼り付けたものに比較して、光学部品の汚れによる特性の低下やλ波長板の透過率特性の低下などが解消され、λ波長板が小型になり、高性能でかつ量産性に優れた安価な光ピックアップを提供することができる。
【００１９】
【発明の実施の形態】
以下、本発明の第１、第２の実施形態を図面に基づいて説明する。
図１は本発明の第１の実施形態に係る光ピックアップの一部を断面にした側面図、図２はその光ピックアップの正面図、図３はλ波長板を貼り付けたＤＶＤ用レーザダイオードの側面図、図４（ａ）はλ波長板を貼り付ける前のレーザダイオードの正面図、同図（ｂ）は複屈折結晶光軸が確認できるよう反射防止膜を形成したλ波長板を貼り付けたレーザダイオードの正面図である。
【００２０】
図１ならびに図２に示すように光ピックアップ筐体１上に、ＤＶＤ用キャンタイプレーザダイオード２、ハーフミラー３、ハーフプリズム４、全反射ミラー５、コリメータレンズ６、対物レンズ７、検出レンズ８、ＯＥＩＣ９等の光学、電子部品が所定位置に組み込まれている。これら光学、電子部品の機能等は周知であるので、その説明は省略する。
【００２１】
小形で極薄（例えば９０μｍ程度）のアクリル製のλ波長板１０は図３ならびに図４に示すように、レーザダイオード２のレーザ光出射側キャン端面におけるレーザ光透過用開放穴２ａの外周部（レーザ光透過開放部の外周端面）に直接接着固定される。このレーザ光透過用開放穴２ａ部は、接着剤塗布もしくは溶着による物理的変化を受けない構造となっている。
【００２２】
具体的には図４（ａ）に示すように、レーザ光透過用開放穴２ａの外周部に例えば紫外線硬化型樹脂などの接着剤１１を４つに分けて略扇状に塗布し、接着剤１１と接着剤１１の間に接着剤が塗布されない通気溝１２が形成され、接着剤１１が一定の厚さが確保された状態で、λ波長板１０が接着固定される。
【００２３】
λ波長板１０は、レーザダイオード２のレーザ光透過用開放穴２ａの外周部形状に合わせた円形状になっている。またλ波長板１０の複屈折結晶光軸と平行で、かつレーザ光が透過しない外周部に蒸着コーティング有無境界線１５が位置するように、λ波長板１０の上に例えばＳｉＯ2 などの反射防止膜１３が蒸着により成膜され、複屈折結晶光軸角度が確認できるようにしている。
【００２４】
図５は本発明の第２の実施形態に係る光ピックアップの一部を断面した側面図、図６はその光ピックアップの正面図である。λ波長板１０を、複屈折結晶光軸がλ波長板基準平行面と平行となる四角形の、小形で薄肉のアクリル製とする。このλ波長板１０を、レーザダイオード２のレーザ光出射側端面と対面したピックアップ筐体１の、レーザ光透過穴１４を有した壁面（貼り付け面）に直接接着剤で貼り付けている（図６参照）。
【００２５】
λ波長板１０を貼り付けるピックアップ筐体１の壁面を、λ波長板１０の取り付け位置がレーザ光の中心とλ波長板１０の中心が近接するように、かつピックアップ筐体１の基準底面に対し複屈折結晶光軸が４５度傾斜するように、中心位置と角度位置決め受面を有した構造としている。
【００２６】
第１及び第２の実施形態では、λ波長板１０を接着剤で貼り付けだが、本発明はこれに限定されるものではなく、例えば超音波溶着などの溶着によりλ波長板１０を貼り付けることも可能である。
【００２７】
【発明の効果】
本発明は前述のように、レーザダイオードのレーザ光透過部の外周端面、またはピックアップ筐体のレーザダイオードと対面した位置に設けられた貼り付け面にλ波長板を貼り付ける構造になっている。
【００２８】
そのため従来のハーフプリズム等の光学部品にλ波長板を貼り付けたものに比較して、光学部品の汚れによる特性の低下やλ波長板の透過率特性の低下などが解消され、λ波長板が小型になり、高性能でかつ量産性に優れた安価な光ピックアップを提供することができる。
【図面の簡単な説明】
【図１】本発明の第１の実施形態に係る光ピックアップの一部を断面にした側面図である。
【図２】その光ピックアップの正面図である。
【図３】第１の実施形態に係るλ波長板を貼り付けたレーザダイオードの側面図である。
【図４】（ａ）はλ波長板を貼り付ける前のレーザダイオードの正面図、（ｂ）は複屈折結晶光軸が確認できるよう反射防止膜を形成したλ波長板を貼り付けたレーザダイオードの正面図である。
【図５】本発明の第２の実施形態に係る光ピックアップの側面図である。
【図６】その光ピックアップの正面図である。
【図７】従来例に係る光ピックアップの側面図である。
【図８】その光ピックアップの正面図である。
【図９】従来例に係るλ波長板を貼り付けたハーフプリズムの側面図である。
【図１０】そのλ波長板を貼り付けたハーフプリズムの正面図である。
【符号の説明】
１  光ピックアップ筐体
２  ＤＶＤ用レーザダイオード
３  ハーフミラー
４  ハーフプリズム
５  全反射ミラー
６  コリメーターレンズ
７  対物レンズ
８  検出レンズ
９  ＯＥＩＣ
１０  偏光用λ波長板
１１  接着剤
１２  通気溝
１３  反射防止膜
１４  レーザ光透過穴
１５  蒸着コーティング有無境界線
【図１】
0004454775.tif 000002
【図２】
0004454775.tif 000003
【図３】
0004454775.tif 000004
【図４】
0004454775.tif 000005
【図５】
0004454775.tif 000006
【図６】
0004454775.tif 000007
【図７】
0004454775.tif 000008
【図８】
0004454775.tif 000009
【図９】
0004454775.tif 000010
【図１０】
0004454775.tif 000011